(57)【要約】【課題】ポンプ内及び管路内へ初期液を迅速に且つ確実に気泡を排出可能に導入でき、初期液と標本封入溶液との入れ換えを迅速に行なえる溶液吐出機における初期液導入方法の提供。【解決手段】ポンプ２０８の内圧に依存して吸入用及び吐出用の逆止弁２０７、２０９が開閉することにより、ポンプ２０８の吸入動作で吸入した溶液貯留ボトル２０４内の標本封入溶液を吐出動作で吐出ノズル２１０からスライドグラスに吐出する溶液吐出機において、切換弁２０２の切換レバー２０２ｃを位置ａに切換えると、エアーポンプ２０１からの圧縮空気が加圧管２０３を介してボトル２０４内に供給され、ボトル２０４内の高圧液体が吸入用逆止弁２０７を開いてポンプ内に入り込み、更に吐出用逆止弁２０９を開いて吐出ノズル２１０から排出される。【選択図】    図１
2005000817.tif 000002
【特許請求の範囲】
【請求項１】
吸入用開閉弁と吐出用開閉弁の開閉動作によりポンプ内に減圧作用と加圧作用を作り出し、該減圧作用によりポンプの吸入側より吸入した溶液貯留ボトル内の標本封入溶液を該加圧作用で該ポンプの吐出側から吐出ノズルを経てスライドグラス上に吐出させる溶液吐出機において、
前記吸入用開閉弁と前記吐出用開閉弁を共に開状態として洗浄液を前記ポンプの吸入側からポンプ内に加圧供給し、該ポンプ内を経て前記吐出ノズルから洗浄液を排出させることを特徴とする溶液吐出機における初期液導入方法。
【請求項２】
吸入用開閉弁と吐出用開閉弁の開閉動作によりポンプ内に減圧作用と加圧作用を作り出し、該減圧作用によりポンプの吸入側より吸入した溶液貯留ボトル内の標本封入溶液を該加圧作用で該ポンプの吐出側から吐出ノズルを経てスライドグラス上に吐出させる溶液吐出機において、
前記吸入用開閉弁と前記吐出用開閉弁を共に開状態として洗浄液を前記ポンプの吸入側からポンプ内に加圧供給し、該ポンプ内を経て前記吐出ノズルから洗浄液を排出させる第１工程と、前記第１工程の終了後前記吸入用開閉弁と前記吐出用開閉弁を共に開状態として標本封入溶液を前記ポンプの吸入側からポンプ内に供給し、該ポンプ内を経て前記吐出ノズルから標本封入溶液を排出させて、封入溶液を初期導入する第２工程とからなることを特徴とする溶液吐出機における初期液導入方法。
【請求項３】
吸入用開閉弁と吐出用開閉弁の開閉動作によりポンプ内に減圧作用と加圧作用を作り出し、該減圧作用によりポンプの吸入側より溶液貯留ボトル内に挿通される吸入管を介して該溶液貯留ボトル内に貯留された標本封入溶液を吸入し、吸入した標本封入溶液を該加圧作用で該ポンプの吐出側から吐出ノズルを経てスライドグラス上に吐出させる溶液吐出機において、
前記溶液貯留ボトル内の気体圧力を高め、該溶液貯留ボトル内の加圧液体を前記吸入管から前記吸入用開閉弁を介して前記ポンプ内に圧送し、更に前記ポンプ内から前記吐出用開閉弁を経て前記吐出ノズルから排出させる加圧手段を有し、前記吸入用開閉弁と前記吐出用開閉弁は前記加圧手段により高められた前記溶液貯留ボトル内の液体が通過するのを許容すべく開状態となることを特徴とする溶液吐出機。
【請求項４】
前記吸入用開閉弁は、前記溶液貯留ボトル内からの液圧が吸入用弁圧よりも高くなると開状態となる弁構造に形成されていることを特徴とする請求項３に記載の溶液吐出機。
【請求項５】
前記吐出用開閉弁は、前記ポンプ内の圧力が吐出用弁圧よりも高くなると開状態となる弁構造に形成されていることを特徴とする請求項３または４に記載の溶液吐出機。
【請求項６】
前記加圧手段は、気体を加圧する加圧源と、前記加圧源からの加圧気体を密閉された前記溶液貯留ボトルに供給する加圧管と、前記加圧管に対して前記加圧源を接続する位置と大気に開放する位置とを選択的に切換える切換え手段とを有することを特徴とする請求項３、４または５に記載の溶液吐出機。
【発明の詳細な説明】
【０００１】
【発明の属する技術分野】
本発明は、標本封入用の溶液を吸入・吐出する溶液吐出機において、稼動に先立って液路の洗浄、残留気泡等の排出を行なうための初期液導入を効率的に実施する方法及び溶液吐出機に関するものである。
【０００２】
【従来の技術】
医療診断等において、顕微鏡により細胞試料片を観察する場合、該細胞試料片を載せたスライドガラス上に微量の接着液剤である標本封入用の溶液（以下標本封入溶液と称す）を滴下し、さらに薄い板状ガラスでできたカバーグラスをその上に載せ、細胞試料片を前記スライドガラスと前記カバーガラスとの間に挟み、前記標本封入溶液の接着剤皮膜のコーティングにより該細胞試料片を封入するという標本封入作業が行なわれる。
【０００３】
このような標本封入作業は機械化されており、標本封入溶液を吸入しスライドガラス上に微少量滴下するために吐出する装置として溶液吐出機が提案されている。
【０００４】
溶液吐出機において、標本封入溶液の吸引と吐出を繰り返し行なうためのポンプとして、シリンダー内に標本封入溶液を直接通して吸引吐出動作を行なうプランジャーポンプ等の直接加圧式のポンプが使用されている。そして、ポンプの吐出側は吐出ノズル連結管を介して吐出ノズルに接続され、ポンプの吸引側は標本封入溶液が貯留されている溶液貯留ボトルと吸入管を介して接続されている。
【０００５】
また、前記ポンプの吸引側と前記溶液貯留ボトルとの間、及び前記ポンプの吐出側と前記吐出ノズルとの間にはそれぞれ吸引用逆止弁と吐出用逆止弁が取り付けられ、前記ポンプの吸引動作時には該吐出用逆止弁の閉じ状態が維持されて該シリンダー内を減圧状態とし、該シリンダー内の減圧状態で該吸引用逆止弁が開いて前記溶液貯留ボトル内の標本封入溶液が前記吸入管を介して該シリンダー内に吸引される。そして、吐出のために前記シリンダー内を加圧状態に転じると、前記吸引用逆止弁が閉じ、前記吐出用逆止弁が開いて該シリンダー内の標本封入溶液が前記吐出ノズル連結管を介して前記吐出ノズルから吐出される。
【０００６】
図２はこのようなポンプを備えた溶液吐出機の概略図を示す。
【０００７】
図２において、ポンプ１０３は、ベース板１１１に固定された縦長の外筒１１２内にベローズパイプ１１３を伸縮自在に配置し、ベローズパイプ１１３の上下には可動の吐出管１１４と固定の吸入管１１５が夫々連通するように固定され、ベローズパイプ１１３内は吸入管１１５および吸入用逆止弁１０２を介して標本封入溶液が貯留される溶液貯留ボトル１０１と連通し、また吐出管１１４および吐出用逆止弁１０９を介して吐出用ノズル１１０と連通している。
【０００８】
べローズパイプ１１３は、下端が外筒１１２の下端に固定され、外筒１１２の上端を貫通して昇降可能な吐出管１１４の下端にベローズパイプの上端が固定されていて、吐出管１１４を昇降することによってべローズパイプ１１３が伸縮する。
【０００９】
吐出管１１４の上端部に固定されている駆動用の昇降板１０６を介してベローズパイプ１１３を上方に引き上げると、べローズパイプ１１３内が減圧されて吸入用逆止弁１０２のボールがばねの付勢力に抗して弁座から離れ、溶液貯留ボトル１０１内の標本封入溶液がベローズパイプ１１３内に流入する。そして、ベローズパイプ１１３を上方の所定位置まで引き上げてベローズパイプ１１３内に標本封入溶液を充填する。
【００１０】
その後、昇降板１０６を介してべローズパイプ１１３を微小量昇降させると、ベローズパイプ１１３内の加圧と減圧が繰り返し行なわれ、べローズパイプ１１３内が加圧状態となると、吸入用逆止弁１０２のボールが弁座に押し付けられて溶液貯留ボトル１０１側への溶液移動が阻止され、吐出用逆止弁１０９のボールがばねの付勢力に抗して弁座から離れ、所定の微少量の標本封入溶液がノズル１１０から下方に吐出し、スライドグラス上に滴下する。
【００１１】
また、ベローズパイプ１１３の微小量の上昇でベローズパイプ１１３内が減圧されると、吐出用逆止弁１０９のボールが弁座に押し付けられてノズル１１０への標本封入溶液の吐出が阻止され、吸入用逆止弁１０２のボールがばねの付勢力に抗して弁座から離れ、所定の微小量の標本封入溶液が溶液貯留ボトル１０１から供給される。
【００１２】
一方、ベース板１１１には、駆動用パルスモータ１０４が駆動軸を上方に向けて取り付けられ、この駆動軸にはボールねじによる送り機構を構成するボールねじ１０８が取り付けられている。また、駆動用パルスモータ１０４を跨ぐようにして門型のガイドフレーム１０５がベース板１１１に固定されていて、ガイドフレーム１０５の上下方向に延びる一対のフレーム部材に昇降板１０６が昇降自在に取り付けられている。この昇降板１０６にはボールねじ１０８が螺合するボールナット１０７が設けられている。
【００１３】
また、昇降板１０６は吐出管１１４に連結され、駆動用パルスモータ１０４の正逆回転によって昇降板１０６を上下動させ、吐出管１１４を介してベローズパイプ１１３を伸縮させる。その際、駆動用パルスモータ１０４へ入力する駆動パルスのパルス数を制御することにより、ベローズパイプ１１３の昇降量を正確に制御することができるので、標本封入溶液の吸入・吐出量を高精度に制御することができる。
【００１４】
【発明が解決しようとする課題】
上記したように、吸入と吐出を交互に繰り返すこのような吐出機において、標本封入溶液の吐出サイクルは、ポンプ１０３の減圧による吸入から始まり、加圧による標本封入溶液の吐出後、加圧停止により終了する。
【００１５】
この１吐出サイクルにおいて、所定量の標本封入溶液を吐出するためには、ポンプ内及び管路内を完全に標本封入溶液で満たす必要があり、ポンプ内あるいは管路内等の空気溜まり部分等に空気が残留していると、この滞留空気が気泡となって標本封入溶液に混入し、標本封入溶液の所定量の吸入・吐出ができなくなる。
【００１６】
標本封入溶液に気泡が混入すると、上述のように所定量の標本封入溶液を吐出できなくなるばかりでなく、スライドグラス上に滴下して形成される標本封入層内に気泡が入り込み、顕微鏡標本として使用できない場合がある。
【００１７】
そのため、吸引・吐出動作に先立って、溶液貯留ボトル１０１内の液体を標本封入溶液から、粘度の低い溶剤からなる洗浄液（初期液）に入れ換え、前記ポンプを駆動して該洗浄液の吸引・吐出動作を繰り返し行なうことにより、前記ポンプ及び管路に該洗浄液を注入し、ポンプ内及び管路内の洗浄を行なうようにしている。
【００１８】
そして、ポンプ内及び管路内の洗浄によってポンプ内及び管路内から気泡を完全に排出し終わると、貯留ボトル１０１内の洗浄液を標本封入溶液に入れ換えて前記ポンプを再び駆動し、ポンプ内及び管路内に残留している洗浄液を吐出ノズルから完全に排出して標本封入溶液をスライドグラス上に滴下する標本作成のために待機する。
【００１９】
また、標本封入溶液が古くなった場合、溶液吐出機のメインテナンス時等においても、ポンプ内及び管路内の標本封入溶液を全て排出するため、同様に洗浄液による洗浄を行い、貯留ボトル内の液体を再び標本封入溶液に入れ換えて、ポンプ内及び管路内を標本封入溶液で満たすようにしている。
【００２０】
このような、洗浄作業はポンプを往復駆動して行なっており、１吐出サイクルで吸引吐出する洗浄液は非常に微量であるため、ポンプ内及び管路内を完全に洗浄し終えるには多大な時間を要する。
【００２１】
本発明は、このような従来の問題点に鑑みなされたもので、ポンプ内及び管路内へ初期液を迅速に且つ確実に気泡を排出可能に導入でき、また初期液と標本封入溶液との入れ換え作業を迅速に行なえる溶液吐出機における初期液導入方法及び溶液吐出機を提供しようとするものである。
【００２２】
【課題を解決するための手段】
第１の発明は、請求項１に記載のように、吸入用開閉弁と吐出用開閉弁の開閉動作によりポンプ内に減圧作用と加圧作用を作り出し、該減圧作用によりポンプの吸入側より吸入した溶液貯留ボトル内の標本封入溶液を該加圧作用で該ポンプの吐出側から吐出ノズルを経てスライドグラス上に吐出させる溶液吐出機において、前記吸入用開閉弁と前記吐出用開閉弁を共に開状態として洗浄液を前記ポンプの吸入側からポンプ内に加圧供給し、該ポンプ内を経て前記吐出ノズルから洗浄液を排出させることを特徴とする溶液吐出機における初期液導入方法とするものである。
【００２３】
第２の発明は、請求項２に記載のように、吸入用開閉弁と吐出用開閉弁の開閉動作によりポンプ内に減圧作用と加圧作用を作り出し、該減圧作用によりポンプの吸入側より吸入した溶液貯留ボトル内の標本封入溶液を該加圧作用で該ポンプの吐出側から吐出ノズルを経てスライドグラス上に吐出させる溶液吐出機において、前記吸入用開閉弁と前記吐出用開閉弁を共に開状態として洗浄液を前記ポンプの吸入側からポンプ内に加圧供給し、該ポンプ内を経て前記吐出ノズルから洗浄液を排出させる第１工程と、前記第１工程の終了後前記吸入用開閉弁と前記吐出用開閉弁を共に開状態として標本封入溶液を前記ポンプの吸入側からポンプ内に加圧供給し、該ポンプ内を経て前記吐出ノズルから標本封入溶液を排出させる第２工程とからなることを特徴とする溶液吐出機における初期液導入方法とするものである。
【００２４】
第３の発明は、請求項３に記載のように、吸入用開閉弁と吐出用開閉弁の開閉動作によりポンプ内に減圧作用と加圧作用を作り出し、該減圧作用によりポンプの吸入側より溶液貯留ボトル内に挿通される吸入管を介して該溶液貯留ボトル内に貯留された標本封入溶液を吸入し、吸入した標本封入溶液を該加圧作用で該ポンプの吐出側から吐出ノズルを経てスライドグラス上に吐出させる溶液吐出機において、前記溶液貯留ボトル内の気体圧力を高め、該溶液貯留ボトル内の加圧液体を前記吸入管から前記吸入用開閉弁を介して前記ポンプ内に圧送し、更に前記ポンプ内から前記吐出用開閉弁を経て前記吐出ノズルから排出させる加圧手段を有し、前記吸入用開閉弁と前記吐出用開閉弁は前記加圧手段により高められた前記溶液貯留ボトル内の液体が通過するのを許容すべく開状態となることを特徴とする溶液吐出機とするものである。
【００２５】
第４の発明は、請求項４に記載のように、上記した第３の発明で、前記吸入用開閉弁は、前記溶液貯留ボトル内からの液圧が吸入用弁圧よりも高くなると開状態となる弁構造に形成されていることを特徴とするものである。
【００２６】
第５の発明は、請求項５に記載のように、上記第３または第４の発明で、前記吐出用開閉弁は、前記ポンプ内の圧力が吐出用弁圧よりも高くなると開状態となる弁構造に形成されていることを特徴とするものである。
【００２７】
第６の発明は、請求項６に記載のように、上記第３、第４または第５の発明で、前記加圧手段は、気体を加圧する加圧源と、前記加圧源からの加圧気体を密閉された前記溶液貯留ボトルに供給する加圧管と、前記加圧管に対して前記加圧源を接続する位置と大気に開放する位置とを選択的に切換える切換え手段とを有することを特徴とするものである。
【００２８】
【発明の実施の形態】
図１は本発明の実施の形態を示す。
【００２９】
図１は溶液吐出機の概略構成を示す図である。
【００３０】
図１において、２０８は往復駆動されて吸引と吐出動作を繰り返し行なうポンプで、例えば図２に示す構成の蛇腹式のポンプ１０３等を用いることができる。
【００３１】
ポンプ２０８の吸入端側には、入口側と出口側との差圧によって自動的に開閉する吸入用逆止弁２０７の出口側が取り付けられ、この吸入用逆止弁２０７の入口側には吸入管２０６が取り付けられている。
【００３２】
また、ポンプ２０８の吐出端側には吐出ノズル連結管２１１が取り付けられており、この吐出ノズル連結管２１１の先端に入口側と出口側との差圧によって自動的に開閉する吐出用逆止弁２０９の入口側が取り付けられている。なお、吐出用逆止弁２０９の出口側に吐出ノズル２１０を取り付けている。吸入用逆止弁２０７は、ばね２０７ａにより弁体をなすボール２０７ｂを入ロ側に形成した弁座２０７ｃに向けて弾性的に押し付けており、入口側の圧力が出口側の圧力に対してばね２０７ａで決定される所定の圧力以上になると、ボール２０７ｂがばね２０７ａの付勢力に抗して弁座２０７ｃから離れて出口側に移動し、弁が開いた状態となる。
【００３３】
吐出用逆止弁２０９は、ばね２０９ａにより弁体をなすボール２０９ｂを入口側に形成した弁座２０９ｃに向けて弾性的に押し付けており、入口側の圧力が出口側の圧力に対してばね２０９ａで決定される所定の圧力以上になると、ボール２０９ｂがばね２０９ａの付勢力に抗して弁座２０９ｃから離れて吐出ノズル２１０が取り付けられている出口側に移動し、弁が開いた状態となる。
【００３４】
また、吸入用逆止弁２０７に連結されている吸入管２０６は、ゴム栓等で構成された密封栓２０４ａにより上部開口が塞栓された溶液貯留ボトル２０４内に挿入されている。
【００３５】
この溶液貯留ボトル２０４の密封栓２０４ａには、気体を溶液貯留ボトル２０４内に供給すると共に、溶液貯留ボトル２０４内を外気と連通する空気抜きを兼ねた加圧管２０３の一端側が差し込まれている。
【００３６】
そして、この加圧管２０３の他端側は、３ポート構造の切換弁２０２の第１ポ−ト２０２ａに接続されている。
【００３７】
切換弁２０２は、切換レバー２０２ｄを図中ａ位置に切り換えた状態で、エアーポンプ２０１の吐出側に接続される第３ポート２０２ｃと加圧管２０３が接続される第１ポート２０２ａとを連通させ、エアーポンプ（エアーリザーバー付きのコンプレッサー等）２０１からの圧縮気体、例えば空気、窒素ガス等を溶液貯留ボトル２０４内に加圧管２０３を介して供給する。また、切換弁２０２は、切換レバー２０２ｄを破線で示す図中ｂ位置に切り換えた状態で、大気に開放する第２ポート２０２ｂと加圧管２０３が接続される第１ポート２０２ａとを連通させ、溶液貯留ボトル２０４内を大気に開放するようになっている。
【００３８】
上記した本実施の形態の構成において、標本封入溶液をスライドグラス上に吐出できる溶液吐出モードでは、切換弁２０２の切換レバー２０２ｄは図中ｂ位置に切り換えられて溶液貯留ボトル２０４内を大気圧に連通した状態としている。その際、溶液貯留ボトル２０４内に貯留される液体２０５は、標本封入溶液である。
【００３９】
この溶液吐出モードでは、ポンプ２０８を往復駆動すると、密封栓２０４ａで溶液貯留ボトル２０４内は密封されているが、加圧管２０３は切換弁２０２の第２ポート２０２ｂと連通しているため、ポンプ２０８の吸引工程でポンプ内の減圧作用により吸入用逆止弁２０７が開状態となり、溶液貯留ボトル２０４内の標本封入溶液が吸入管２０６を通してポンプ２０８内に吸入される。そして、ポンプ２０８が加圧工程に移行すると、吸入用逆止弁２０７が閉じ、吐出用逆止弁２０９が開いて標本封入溶液を吐出ノズル２１０からスライドグラス（不図示）に吐出する。
【００４０】
次に、ポンプ２０８及び管路内から滞留空気を追い出す場合、または標本封入溶液の交換等において、初期液である洗浄液を導入する場合には、溶液貯留ボトル２０４を洗浄液専用の溶液貯留ボトル２０４に交換して密封栓２０４ａをしっかりと締めて気体漏れがないようにする。また、切換弁２０２の切換レバー２０２ｄを図中ａ位置に切換える。
【００４１】
そして、溶液貯留ボトル２０４内はエアーポンプ２０１から加圧気体の供給によって圧力が高まり、高圧が洗浄液に作用し、吸入管２０６内を通して吸入用逆止弁２０７のボール２０７に作用する。
【００４２】
すると、吸入用逆止弁２０７は開状態となり、溶液貯留ボトル２０４内の洗浄液がポンプ２０８内に流入し、さらにポンプ２０８内に流入した高圧の洗浄液の作用により、吐出用逆止弁２０９も開状態となり、吐出用ノズル２１０から洗浄液が連続的に吐出される。この洗浄液の連続供給によって、ポンプ２０８を往復駆動させることなく迅速に大量の洗浄液がポンプ内及び管路内に供給されて全ての洗浄が行なわれ、ポンプ内及び管路内の滞留空気を吐出ノズルから追い出すことができる。
【００４３】
上記した洗浄液の連続的洗浄工程である初期液導入の第１段階が終了すると、次にポンプ内及び管路内の洗浄液を標本封入溶液に入れ換える初期液導入の第２段階を実行する。
【００４４】
初期液導入の第２段階は、溶液貯留ボトル２０４を洗浄液用の溶液貯留ボトル２０４から標本封入溶液用の溶液貯留ボトル２０４に交換し、切換バルブ２０２の切換レバー２０２ｄを位置ａに切り換えてポンプ（エアーリザーバー）２０１内の加圧気体を標本封入溶液が貯留された溶液貯留ボトル２０４内に供給する。
【００４５】
すると、上述した洗浄液の連続供給の場合と同様に、ポンプ内及び管路内の洗浄液が吐出ノズル２１０から排出され、標本封入溶液を連続供給することによってポンプ内及び管路内を標本封入溶液で置き換え、ポンプ内及び管路内を全て標本封入溶液で満たす。
【００４６】
これで初期液導入が終了し、切換弁２０２の切換レバー２０２ｄを図中位置ｂに切り換えることにより、溶液吐出モードとなる。
【００４７】
また、吐出ノズル２１０の下に廃液容器２１２を用意し、初期液導入作業に伴って吐出ノズル２１０から吐出される不要な洗浄液、標本封入溶液を溜めておくようにすることが望ましい。
【００４８】
以上の実施の形態において、逆止弁としてボールを用いた逆止弁を例示しているが、他のものを用いても良く、また切換弁も電気的に切換制御できるものであっても良い。
【００４９】
【発明の効果】
請求項１に係る発明によれば、例えば溶液吐出機のメインテナンスの際、ポンプを駆動することなく洗浄液の連続圧送により短時間に確実に標本封入溶液を排出することができる。また、溶液吐出機の完成時において、管路内及びポンプ内に存在する気泡を排出する際においても、短時間に確実に気泡を排出することができる。
【００５０】
請求項２に係る発明によれば、例えば古くなった標本封入溶液を新しいものに交換する際、ポンプを駆動することなく洗浄液の連続圧送により短時間に確実に標本封入溶液を排出し、続いて新しい標本封入溶液の連続供給で洗浄液を排出することにより、短時間で確実に新しい標本封入溶液に完全に入れ換えることができる。
【００５１】
請求項３に係る発明によれば、溶液貯留ボトル内の気圧を加圧手段で高めることにより、溶液貯留ボトル内に貯留している液体を管路、吸入、吐出用の開閉弁及びポンプ内に供給し、ポンプを駆動することなく吐出ノズルから排出することができるので、溶液吐出機のメインテナンスや標本封入溶液の交換時等において、先ず前記液体として洗浄液を前記溶液貯留ボトルに入れて加圧するだけで連続的に洗浄液に入れ換え、管路、吐出ノズル及びポンプ内を確実にしかも短時間に洗浄することができ、続いて溶液貯留ボトルに新しい標本封入溶液を入れて加圧することにより、洗浄液を新しい標本封入溶液に入れ換え、古くなった標本封入溶液を新しい標本封入溶液に交換することができる。
【００５２】
請求項４に係る発明によれば、吸入用開閉弁は前記溶液貯留ボトル内からの液圧が高くなると自動的に開状態となるため、構成が簡単で済むという効果がある。
【００５３】
請求項５に係る発明によれば、溶液貯留ボトルからの高圧の液体がポンプ内に供給されると、吐出用開閉弁は自動的に開くので、構成が簡単で済むという効果がある。
【００５４】
請求項６に係る発明によれば、切換え手段の切換え操作で、標本封入溶液を吐出ノズルからスライドグラスヘ吐出する動作と、標本封入溶液の入れ換えのための動作を行なうことができる。
【図面の簡単な説明】
【図１】本発明の実施の形態を示す溶液吐出機の概略図。
【図２】従来の溶液吐出機の概略図。
【符号の説明】
１０１  溶液貯留ボトル
１０２  吸入用逆止弁              １０３  ベローズパイプ式吐出用ポンプ
１０４  駆動用パルスモータ        １０５  ガイドフレーム
１０６  昇降板                    １０７  ボールナット
１０９  ボールねじ                １０９  吐出用逆止弁
１１０  吐出用ノズル              １１１  ベース板
１１２  外筒                      １１３  べローズパイプ
１１４  吐出管                    １１５  吸入管
２０１  エアーポンプ              ２０２  切換弁
２０３  加圧管                    ２０４  溶液貯留ボトル
２０５  液体                      ２０６  吸入管
２０７  吸入用逆止弁              ２０８  ポンプ
２０９  吐出用逆止弁              ２１０  吐出用ノズル
２１１  吐出ノズル連結管          ２１１  廃液容器
【図１】
2005000817.tif 000003
【図２】
2005000817.tif 000004